(57)【要約】      （修正有）【課題】  セルラー網との通信を行う通信モジュール及び付加サービス網との通信を行う通信モジュールの干渉現象を防ぎ、且つ不要な電力消耗を生じさせないデュアルモード端末機を提供する。【解決手段】  セルラー網１１０及びセルラー網１１０と連動されたセルラー網１１０以外の付加サービス網１００と通信可能なデュアルモード端末機１２０において、セルラー網１１０から受信した第１メッセージ２００によって、付加サービス網１００との通信を制御するための制御信号を出力する第１通信モジュール１２３と、制御信号によって待ち受け状態にされた後、付加サービス網１００と通信を行う第２通信モジュール１２５と、を含んで構成する。【選択図】  図１
2007043660.tif 000002
【特許請求の範囲】
【請求項１】
セルラー網及び前記セルラー網以外の付加サービス網と通信可能なデュアルモード端末機において、
前記セルラー網から受信したメッセージによって、前記付加サービス網との通信を制御するための制御信号を出力する第１通信モジュールと、
前記制御信号によって活性化された後、前記付加サービス網との通信を行う第２通信モジュールと、
を含んで構成されるメッセージによる通信モジュール制御機能を有するデュアルモード端末機。
【請求項２】
前記制御信号は、前記第２通信モジュールに対するリセット信号又はパワーオン信号であることを特徴とする請求項１に記載のメッセージによる通信モジュール制御機能を有するデュアルモード端末機。
【請求項３】
前記第１通信モジュールは、前記第２通信モジュールが活性化された後、前記付加サービス網との通信準備完了を通知する応答メッセージを前記セルラー網に伝送する動作をさらに行うことを特徴とする請求項１又は請求項２に記載のメッセージによる通信モジュール制御機能を有するデュアルモード端末機。
【請求項４】
前記メッセージは、前記デュアルモード端末機に対する、前記付加サービス網に予め登録されたサービス提供のために、前記第２通信モジュールを活性化することを指示する情報が含まれたメッセージであることを特徴とする請求項１〜請求項３のいずれか１つに記載のメッセージによる通信モジュール制御機能を有するデュアルモード端末機。
【請求項５】
前記メッセージは、ショートメッセージサービスによるメッセージであることを特徴とする請求項１〜請求項４のいずれか１つに記載のメッセージによる通信モジュール制御機能を有するデュアルモード端末機。
【請求項６】
前記付加サービス網は、携帯インターネット網であり、前記第２通信モジュールは、前記携帯インターネット網と通信可能な携帯インターネットモジュールであることを特徴とする請求項１〜請求項５のいずれか１つに記載のメッセージによる通信モジュール制御機能を有するデュアルモード端末機。
【請求項７】
前記付加サービス網は、デジタル放送網であり、前記第２通信モジュールは、前記デジタル放送網からデジタル放送を受信可能なデジタル放送用モデムであることを特徴とする請求項１〜請求項５のうちいずれか１項に記載のメッセージによる通信モジュール制御機能を有するデュアルモード端末機。
【請求項８】
前記付加サービス網は、無線ＬＡＮであり、前記第２通信モジュールは、前記無線ＬＡＮと通信可能な無線ＬＡＮモジュールであることを特徴とする請求項１〜請求項５のうちいずれか１項に記載のメッセージによる通信モジュール制御機能を有するデュアルモード端末機。
【請求項９】
特定のデュアルモード端末機に対するサービス提供に関する情報が含まれた第１メッセージをセルラー網に伝送する、前記セルラー網以外の付加サービス網と、
前記付加サービス網から受信した前記第１メッセージによって、前記情報が含まれた第２メッセージを前記デュアルモード端末機に伝送するセルラー網と、
前記セルラー網から受信した前記第２メッセージによって、前記付加サービス網と前記サービスのための通信を行うデュアルモード端末機と、
を含んで構成されるメッセージによるデュアルモード端末機の通信モジュール制御のための通信システム。
【請求項１０】
前記第２メッセージは、ショートメッセージサービスによるメッセージであることを特徴とする請求項９に記載のメッセージによるデュアルモード端末機の通信モジュール制御のための通信システム。
【請求項１１】
前記デュアルモード端末機は、
前記第２メッセージによって、前記付加サービス網との通信を制御するための制御信号を出力する第１通信モジュールと、
前記制御信号によって活性化された後、前記付加サービス網との通信を行う第２通信モジュールと、
を含んで構成される請求項９又は請求項１０に記載のメッセージによるデュアルモード端末機の通信モジュール制御のための通信システム。
【請求項１２】
前記デュアルモード端末機は、前記受信した第２メッセージに対する第１応答メッセージを前記第１通信モジュールを通して前記セルラー網に伝送する動作をさらに行い、
前記セルラー網は、前記第１応答メッセージによって、前記サービスに対する通信準備完了を通知する第２応答メッセージを前記付加サービス網に伝送する動作をさらに行い、
前記付加サービス網は、前記第２応答メッセージによって、前記第２通信モジュールと前記サービスのための通信を行う動作をさらに行うことを特徴とする請求項１１に記載のメッセージによるデュアルモード端末機の通信モジュール制御のための通信システム。
【請求項１３】
前記付加サービス網は、携帯インターネット網であり、前記第２通信モジュールは、前記携帯インターネットと通信可能な携帯インターネットモジュールであることを特徴とする請求項１１又は請求項１２に記載のメッセージによるデュアルモード端末機の通信モジュール制御のための通信システム。
【請求項１４】
前記付加サービス網は、デジタル放送網であり、前記第２通信モジュールは、前記デジタル放送網からデジタル放送を受信可能なデジタル放送用モデムであることを特徴とする請求項１１又は請求項１２に記載のメッセージによるデュアルモード端末機の通信モジュール制御のための通信システム。
【請求項１５】
前記付加サービス網は、無線ＬＡＮであり、前記第２通信モジュールは、前記無線ＬＡＮと通信可能な無線ＬＡＮモジュールであることを特徴とする請求項１１又は請求項１２に記載のメッセージによるデュアルモード端末機の通信モジュール制御のための通信システム。
【請求項１６】
セルラー網及び前記セルラー網以外の付加サービス網と通信可能なデュアルモード端末機を用いて、メッセージによって通信モジュールを制御する方法において、
前記端末機に備わった前記セルラー網と通信するための第１通信モジュールが、前記付加サービス網のサービス提供に関する情報が含まれたメッセージを前記セルラー網から受信する過程と、
前記メッセージによって、前記端末機に備わった前記付加サービス網と通信するための第２通信モジュールが前記付加サービス網と通信を行う過程と、
を含んで構成されるメッセージによるデュアルモード端末機の通信モジュール制御方法。
【請求項１７】
前記通信を行う過程は、前記第１通信モジュールが、前記メッセージによって前記第２通信モジュールを活性化するための制御信号を出力する段階と、
前記第２通信モジュールが、前記制御信号によって前記付加サービス網と通信を行うために活性化される段階と、
を含んで構成される請求項１６に記載のメッセージによるデュアルモード端末機の通信モジュール制御方法。
【請求項１８】
前記制御信号は、前記第２通信モジュールに対するリセット信号及びパワーオン信号のうちいずれか一つであることを特徴とする請求項１７に記載のメッセージによるデュアルモード端末機の通信モジュール制御方法。
【請求項１９】
前記第２通信モジュールが活性化された後、前記第１通信モジュールが前記付加サービス網との通信準備完了を通知する応答メッセージを前記セルラー網に伝送する過程をさらに含んで構成される請求項１７又は請求項１８に記載のメッセージによるデュアルモード端末機の通信モジュール制御方法。
【請求項２０】
前記第１メッセージは、ショートメッセージサービスによるメッセージであることを特徴とする請求項１６〜請求項１９に記載のメッセージによるデュアルモード端末機の通信モジュール制御方法。
【請求項２１】
前記付加サービス網は、携帯インターネット網であり、前記第２通信モジュールは、前記携帯インターネット網と通信可能な携帯インターネットモジュールであることを特徴とする請求項１６〜請求項２０のうちいずれか１つに記載のメッセージによるデュアルモード端末機の通信モジュール制御方法。
【請求項２２】
前記付加サービス網は、デジタル放送網であり、前記第２通信モジュールは、前記デジタル放送網からデジタル放送を受信可能なデジタル放送用モデムであることを特徴とする請求項１６〜請求項２０のうちいずれか１つに記載のメッセージによるデュアルモード端末機の通信モジュール制御方法。
【請求項２３】
前記付加サービス網は、無線ＬＡＮであり、前記第２通信モジュールは、前記無線ＬＡＮと通信可能な無線ＬＡＮモジュールであることを特徴とする請求項１６〜請求項２０のうちいずれか１つに記載のメッセージによるデュアルモード端末機の通信モジュール制御方法。
【請求項２４】
セルラー網と連動する前記セルラー網以外の付加サービス網が、特定のデュアルモード端末機に対するサービス提供に関する情報が含まれた第１メッセージを前記セルラー網に伝送する過程と、
前記セルラー網が、前記第１メッセージによって、前記情報が含まれた第２メッセージを前記デュアルモード端末機に伝送する過程と、
前記デュアルモード端末機が、前記第２メッセージによって、前記付加サービス網と前記サービスのための通信を行う過程と、
を含んで構成されるメッセージによるデュアルモード端末機の通信モジュール制御方法。
【請求項２５】
前記第２メッセージは、ショートメッセージサービスによるメッセージであることを特徴とする請求項２４に記載のメッセージによるデュアルモード端末機の通信モジュール制御方法。
【請求項２６】
前記デュアルモード端末機は、前記セルラー網と通信するための第１通信モジュールと、前記付加サービス網と通信するための第２通信モジュールと、を備えており、
前記通信を行う過程は、
前記第１通信モジュールが、前記第１メッセージによって、前記第２通信モジュールを活性化するための制御信号を出力する段階と、
前記第２通信モジュールが、前記制御信号によって、前記付加サービス網との通信を行うために活性化される段階と、
を含んで構成されることを特徴とする請求項２４に記載のメッセージによるデュアルモード端末機の通信モジュール制御方法。
【請求項２７】
前記デュアルモード端末機が、前記第２メッセージに対する第１応答メッセージを前記第１通信モジュールを通して前記セルラー網に伝送する過程と、
前記セルラー網が、前記第１応答メッセージによって、前記サービスに対する通信準備完了を通知する第２応答メッセージを前記付加サービス網に伝送する過程と、
をさらに含んで構成される請求項２６に記載のメッセージによるデュアルモード端末機の通信モジュール制御方法。
【請求項２８】
前記付加サービス網は、携帯インターネット網であり、前記第２通信モジュールは、前記携帯インターネットと通信可能な携帯インターネットモジュールであることを特徴とする請求項２６又は請求項２７に記載のメッセージによるデュアルモード端末機の通信モジュール制御方法。
【請求項２９】
前記付加サービス網は、デジタル放送網であり、前記第２通信モジュールは、前記デジタル放送網からデジタル放送を受信可能なデジタル放送用モデムであることを特徴とする請求項２６又は請求項２７に記載のメッセージによるデュアルモード端末機の通信モジュール制御方法。
【請求項３０】
前記付加サービス網は、無線ＬＡＮであり、前記第２通信モジュールは、前記無線ＬＡＮと通信可能な無線ＬＡＮモジュールであることを特徴とする請求項２６又は請求項２７に記載のメッセージによるデュアルモード端末機の通信モジュール制御方法。
【発明の詳細な説明】
【技術分野】
【０００１】
本発明は、デュアルバンドデュアルモード（Ｄｕａｌ  Ｂａｎｄ  Ｄｕａｌ  Ｍｏｄｅ）端末機に関するもので、詳しくは、デュアルモード端末機の通信モジュールに対する不要な電力消耗を減少し、各通信モジュールの間の干渉現象を最小化できる、メッセージによる通信モジュール制御機能を有するデュアルモード端末機、通信システム及びその方法に関するものである。
【背景技術】
【０００２】
デュアルバンドデュアルモード（Ｄｕａｌ  Ｂａｎｄ  Ｄｕａｌ  Ｍｏｄｅ：ＤＢＤＭ、以下「デュアルモード」という）端末機とは、帯域幅の相異なる二つの通信方式を支援する端末機であり、既存の音声通話を主な目的とするセルラー網と通信する移動通信用モデムと、その他の付加サービスを目的とする付加サービス網と通信する通信モジュールと、を備えている。
【０００３】
既存のセルラー網と呼ばれる移動通信網は、音声通話を主な目的とするネットワークであり、その例としてＧＳＭ、ＩＳ-９５ＣＤＭＡ、ＩＭＴ-２０００、ＷＣＤＭＡシステムなどが挙げられる。既存の移動通信システムは、第２世代、第２．５世代及び第３世代に進化しながら主な目的である音声通話から抜け出し、高容量のマルチメディア伝送などの多様なサービスが可能になった。
【０００４】
付加サービス網は、携帯インターネット（ＷｉＢＲＯ、ＷｉＭＡＸ）、デジタル放送、無線ＬＡＮ（Ｗｉｒｅｌｅｓｓ  ＬＡＮ、Ｗｉ-Ｆｉ）などであり、セルラー網とは、相異なる帯域幅を用いることで通信方式が相異なる。したがって、このような付加サービス網を通してサービス提供を受けるためには、別途の通信モジュールを装着した端末機が必要である。
【０００５】
特に、デジタル放送においては、２００５年５月から韓国で世界最初に衛星デジタルマルチメディア放送（Ｓａｔｅｌｌｉｔｅ  Ｄｉｇｉｔａｌ  Ｍｕｌｔｉｍｅｄｉａ  Ｂｒｏａｄｃａｓｔｉｎｇ：ＳＤＭＢ）が常用化されてサービスされており、地上波デジタルマルチメディア放送（Ｔｅｒｒｅｓｔｒｉａｌ  Ｄｉｇｉｔａｌ  Ｍｕｌｔｉｍｅｄｉａ  Ｂｒｏａｄｃａｓｔｉｎｇ：ＴＤＭＢ）もサービスを目前に控えている状況である。
【０００６】
ＴＤＭＢは、地上の送信設備を用いることで、固定受信機のみならず、移動中の個人携帯端末機や車両用端末機を通してデジタルオーディオ、ビデオ及びデータなどの多様なマルチメディア情報を受けられるサービスをいい、ＳＤＭＢとは、放送または通信衛星を用いることで、多様なマルチメディア情報を受けられるサービスをいう。
【０００７】
デジタル放送を用いて提供可能な応用サービスには、デジタル放送システムを通して実時間で交通情報を提供するＴＰＥＧサービスと、衛星を用いて３地点を測定し、車両や人の位置を把握するＧＰＳサービスと、携帯用または車両用デジタルマルチメディア放送受信機に伝達されるＣＤ水準のオーディオ信号をＭＰ３プレーヤーと連係させ、いつでも音楽を聞けるようにするＭＰ３サービスと、ＪＰＥＧなどの停止したイメージを送る一種のスライドショーサービスと、Ｒ-ｃｏｍｍｅｒｃｅサービスと、ＢＷＳ（Ｂｒｏａｄｃａｓｔｉｎｇ  Ｗｅｂｓｉｔｅ）サービスなどの多様なサービスが挙げられる。
【０００８】
一方、韓国で２．３ＧＨｚ帯域を使用するＷｉＢＲＯ（Ｗｉｒｅｌｅｓｓ  Ｂｒｏａｄｂａｎｄ  Ｉｎｔｅｒｎｅｔ）としてよく知られた携帯インターネットサービスは、携帯インターネット端末を用いて、停止中又は移動中のいずれの状態であっても、いつどこでも高速で無線インターネット接続可能なサービスと定義される。携帯インターネットサービスは、ビデオストリーミング、オーディオストリーミング、インタラクティブゲームなどのように、伝送遅延条件を要求し、該当サービスの間に資源の保証を受けるリアルタイム（ｒｅａｌ−ｔｉｍｅ）サービスと、ファイル伝送、マルチメディアメール、チャット、Ｅコマース（Ｅ-Ｃｏｍｍｅｒｃｅ）などのように伝送遅延を許容する非リアルタイム（ｎｏｎ−ｒｅａｌ−ｔｉｍｅ）サービスと、ウェブブラウジング及び電子メールなどのように、伝送遅延を許容しながら、該当サービスの間に資源の保証を受けないＢＥ（Ｂｅｓｔ  Ｅｆｆｏｒｔ）サービスと、に分類される。また、携帯インターネットサービスは、既存の多様な無線データ網（無線ＬＡＮ、移動通信データ網）との連動を支援する。
【０００９】
また、携帯インターネットと類似した概念のサービス提供方式として、既存の無線ＬＡＮから発展したサービスであるＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）に対する標準化作業が行われている。ＷｉＭＡＸには、インテル社を始めとする様々な通信企業が参加しており、２．４ＧＨｚまたは２．５ＧＨｚの帯域幅を用いることと予想される。
【００１０】
上述した既存のセルラー網及び付加サービス網からのサービスの提供を一つの端末機を通して受けるためには、セルラー網と通信可能な通信モジュールと、付加サービス網と通信可能な通信モジュールと、を全て備えるべきである。すなわち、デュアルモード端末機を用いることで、平常時にはＣＤＭＡなどを通して音声通話をし、必要時には、付加サービス網に接続することで、付加サービス網の提供するウェブサーフィン、ＶｏＤ（Ｖｉｄｅｏ  Ｏｎ  Ｄｅｍａｎｄ）、ＭｏＤ（Ｍｕｓｉｃ  Ｏｎ  Ｄｅｍａｎｄ）、ＶＴ（Ｖｉｄｅｏ  Ｔｅｌｅｐｈｏｎｙ）、ＦＴＰ（Ｆｉｌｅ  Ｔｒａｎｓｆｅｒ  Ｐｒｏｔｏｃｏｌ）、放送、マルチキャスティングサービスなどの多様な付加サービスを受けるようになる。
【発明の開示】
【発明が解決しようとする課題】
【００１１】
しかしながら、一般に、音声通話が主な目的であるセルラー網との通信のための通信モジュールは、呼（Ｃａｌｌ）着信のために、常に活性化状態を維持すべきであるが、付加サービス網との通信のための通信モジュールが活性化状態を継続して維持する場合、付加サービスを受けない時間にも不要な電力を消耗するという問題点があった。
【００１２】
また、付加サービス網からサービスを受けない時間に、付加サービス網との通信のための通信モジュールが継続して活性化状態を維持すると、セルラー網との通信のための通信モジュールの間で干渉現象が起きることで、データ送受信が妨害を受けるという問題点があった。
【００１３】
本発明は上記の問題点を解決するためのもので、その目的は、付加サービス網からサービスを受けるときのみに、付加サービス網との通信のための通信モジュールを活性化することで、不要な電力消耗を防止できる、メッセージによる通信モジュール制御機能を有するデュアルモード端末機、通信システム及びその方法を提供することにある。
【００１４】
また、付加サービス網からサービスを受けないときは、付加サービス網との通信のための通信モジュールを非活性化することで、セルラー網との通信のための通信モジュールの間で起きる干渉現象を排除できる、メッセージによる通信モジュール制御機能を有するデュアルモード端末機、通信システム及びその方法を提供することにある。
【課題を解決するための手段】
【００１５】
上記目的を達成するための本発明の一態様として、本発明に係るメッセージによる通信モジュール制御機能を有するデュアルモード端末機は、セルラー網及び前記セルラー網と連動された前記セルラー網以外の付加サービス網と通信可能なデュアルモード端末機において、前記セルラー網から受信したメッセージによって、前記付加サービス網との通信を制御するための制御信号を出力する第１通信モジュールと、前記制御信号によって活性化された後、前記付加サービス網と通信を行う第２通信モジュールと、を含んで構成される。
【００１６】
上記目的を達成するための本発明の他の態様として、本発明に係るメッセージによるデュアルモード端末機の通信モジュール制御のための通信システムは、前記セルラー網以外の網として、特定のデュアルモード端末機に対するサービス提供に関する情報が含まれた第１メッセージを伝送する付加サービス網と、前記付加サービス網から受信した前記第１メッセージによって、前記情報が含まれた第２メッセージを前記デュアルモード端末機に伝送するセルラー網と、前記セルラー網から受信した前記第２メッセージによって、前記付加サービス網と前記サービスのための通信を行うデュアルモード端末機と、を含んで構成される。
【００１７】
上記目的を達成するための本発明のさらに他の態様として、本発明に係るメッセージによるデュアルモード端末機の通信モジュール制御方法は、セルラー網及び前記セルラー網以外の付加サービス網と通信可能なデュアルモード端末機を用いて、メッセージによって通信モジュールを制御する方法において、（ａ）前記端末機に備わった前記セルラー網と通信するための第１通信モジュールが、前記付加サービス網のサービス提供に関する情報が含まれたメッセージを前記セルラー網から受信する過程と、（ｂ）前記メッセージによって、前記端末機に備わった前記付加サービス網と通信するための第２通信モジュールが前記付加サービス網と通信を行う過程と、を含んで構成される。
【００１８】
上記目的を達成するための本発明のさらに他の態様として、本発明に係るメッセージによるデュアルモード端末機の通信モジュール制御方法は、（ａ）セルラー網と連動された前記セルラー網以外の網である付加サービス網が、特定のデュアルモード端末機に対するサービス提供に関する情報が含まれた第１メッセージを前記セルラー網に伝送する過程と、（ｂ）前記セルラー網が、前記第１メッセージによって前記情報が含まれた第２メッセージを前記デュアルモード端末機に伝送する過程と、（ｃ）前記デュアルモード端末機が、前記第２メッセージによって前記付加サービス網と前記サービスのための通信を行う過程と、を含んで構成される。
【発明の効果】
【００１９】
本発明に係るメッセージによる通信モジュール制御機能を有するデュアルモード端末機、通信システム及びその方法は、付加サービス網からサービスを受けるときのみに、付加サービス網との通信のための通信モジュールを活性化することで、不要な電力消耗を防止できるという効果がある。
【００２０】
また、付加サービス網からサービスを受けないときには、付加サービス網との通信のための通信モジュールを非活性化することで、セルラー網との通信のための通信モジュールの間で起きる干渉現象を排除できるという効果がある。
【発明を実施するための最良の形態】
【００２１】
以下、本発明の好適な実施形態について、添付の図面に基づいて詳細に説明する。明細書全体において、同一の参照符号は同じ構成要素を示している。また、本発明と関連した公知機能あるいは構成は、本発明の要旨を不明確にすると判断される場合、その詳細な説明を省略する。
【００２２】
図１は、本発明の好ましい実施形態に係るメッセージによるデュアルモード端末機の通信モジュール制御機能を有する通信システムを示したブロック構成図である。
【００２３】
図２は、本発明に係る通信システム内で伝送される情報の流れを示した図である。
【００２４】
以下、図１及び図２に示すように、本発明に係るメッセージによるデュアルモード端末機の通信モジュール制御機能を有する通信システム、及び本発明に係るメッセージによる通信モジュール制御機能を有するデュアルモード端末機の好ましい実施形態を説明する。
【００２５】
本発明の好ましい実施形態に係る通信システムは、付加サービス網１００、セルラー網１１０及びデュアルモード端末機１２０を含んで構成される。デュアルモード端末機１２０は、セルラー網１１０と通信可能な第１通信モジュール１２３と、付加サービス網１００と通信可能な第２通信モジュール１２５と、を含んでいる。
【００２６】
セルラー網１１０は、音声通話を主な目的とする移動通信網であり、例えば、ＧＳＭ、ＩＳ-９５ＣＤＭＡ、ＩＭＴ-２０００、ＷＣＤＭＡシステムなどが相当する。また、セルラー網１１０は、ショートメッセージサービス（Ｓｈｏｒｔ  Ｍｅｓｓａｇｅ  Ｓｅｒｖｉｃｅ：ＳＭＳ）あるいはマルチメディアメッセージングサービス（Ｍｕｌｔｉｍｅｄｉａ  Ｍｅｓｓａｇｉｎｇ  Ｓｅｒｖｉｃｅ：ＭＭＳ）のためのサーバーを備え、第１通信モジュール１２３を通してデュアルモード端末機１２０にメッセージを伝送できる。
【００２７】
付加サービス網１００は、セルラー網以外のネットワークとしてセルラー網１１０と連動されており、例えば、携帯インターネット網、デジタル放送網あるいは無線ＬＡＮなどが相当する。特に、携帯インターネット網及び無線ＬＡＮは、有線インターネット（Ｐｕｂｌｉｃ  ＩＰ  Ｎｅｔｗｏｒｋ）と連動し、使用者に各種のサービスを提供できるネットワークである。このとき、デュアルモード端末機１２０に備わった第２通信モジュール１２５は、携帯インターネットと通信可能な携帯インターネットモジュール、デジタル放送網からデジタル放送を受信できるデジタル放送用モデム、あるいは無線ＬＡＮと通信可能な無線ＬＡＮモジュールなどが相当する。
【００２８】
デジタル放送には、ヨーロッパのＤＡＢ（Ｄｉｇｉｔａｌ  Ａｕｄｉｏ  Ｂｒｏａｄｃａｓｔｉｎｇ）、ＤＶＢ-Ｔ（Ｄｉｇｉｔａｌ  Ｖｉｄｅｏ  Ｂｒｏａｄｃａｓｔｉｎｇ-Ｔｅｒｒｅｓｔｒｉａｌ）、ＤＶＢ-Ｈ（Ｄｉｇｉｔａｌ  Ｖｉｄｅｏ  Ｂｒｏａｄｃａｓｔｉｎｇ-Ｈａｎｄｈｅｌｄ）、米国のクアルコム社によって主導されるＭｅｄｉｏ  ＦＬＯ（Ｆｏｒｗａｒｄ  Ｌｉｎｋ  Ｏｎｌｙ）、韓国のＤＭＢ（Ｄｉｇｉｔａｌ  Ｍｕｌｔｉｍｅｄｉａ  Ｂｒｏａｄｃａｓｔｉｎｇ）などがある。特に、韓国のＤＭＢには、地上の送信設備を用いるＴ-ＤＭＢ（Ｔｅｒｒｅｓｔｒｉａｌ-ＤＭＢ）と、放送または通信衛星を用いるＳ-ＤＭＢ（Ｓａｔｅｌｌｉｔｅ-ＤＭＢ）と、がある。
【００２９】
また、携帯インターネットは、韓国によって主導されるＷｉＢＲＯ（Ｗｉｒｅｌｅｓｓ  Ｂｒｏａｄｂａｎｄ  Ｉｎｔｅｒｎｅｔ）あるいはインテル社を始めとする様々な通信企業によって主導されるＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）をいう。現在、ＷｉＭＡＸの代表的な技術規格として、ＩＥＥＥ８０２．１６ｅによる通信方式がある。
【００３０】
また、無線ＬＡＮの代表的な例として、ＩＥＥＥ８０２．１１による通信方式が挙げられる。
【００３１】
デュアルモード端末機１２０の使用者は、所望のサービスを付加サービス網１００に予め登録あるいは予約できる。なお、事前にサービスを登録または予約するために付加サービス網１００に接続する方法として、デュアルモード端末機１２０を用いることができる。また、付加サービス網１００に接続可能な他の端末機を用いることもできる。
【００３２】
以下、デュアルモード端末機１２０の使用者が、付加サービス網１００に予め登録できるサービスの具体的な例を挙げる。
【００３３】
第一に、付加サービス網１００がデジタル放送網である場合が挙げられる。使用者は、特定時間帯の放送受信、特定プログラムの放送受信などをデジタル放送網に予め予約しておける。例えば、２００５年１０月１日の午前１０時からデジタル放送視聴を望む場合、朴贊浩（パクチャンホ）選手が先発で登板するメジャーリーグ競技を視聴しようとする場合、韓米首脳会談の談話文発表を視聴しようとする場合などのように、非常に多様な放送視聴予約が可能である。
【００３４】
第二に、付加サービス網１００が携帯インターネット網あるいは無線ＬＡＮである場合が挙げられる。例えば、使用者がＶｏＤあるいはＭｏＤに対する特定のストリーミングサービスを予約しておいた場合、相手方がＶｏＩＰ（Ｖｏｉｃｅ  Ｏｎ  Ｉｎｔｅｒｎｅｔ  Ｐｒｏｔｏｃｏｌ）サービスあるいはＶＴを通して使用者との音声通話あるいは画像通話を望む場合、付加サービス網１００が提供する放送サービスあるいはマルチキャスティングサービスに対して事前に予約しておいた場合、付加サービス網１００を通して電子メールを受信する場合などのように、非常に多様なサービスに対する事前登録あるいは予約が可能である。
【００３５】
事前登録あるいは予約に対する具体的な例は、上述した実施形態に限定されるものではない。付加サービス網１００が提供可能なサービスには、使用者によって事前登録あるいは予約可能な全てのサービスが含まれる。
【００３６】
付加サービス網１００は、デュアルモード端末機１２０に対するサービス提供に関する情報が含まれた第１メッセージ２００をセルラー網１１０に伝送する。サービス提供に関する情報は、上述したように、事前予約あるいは登録されたサービスに関する情報であることが好ましい。さらに、サービス提供に関する情報は、事前予約あるいは登録されたサービス提供のための通信を行うために、第２通信モジュールを活性化することを指示する情報であることが好ましい。また、第１メッセージ２００は、デュアルモード端末機１２０を識別できる識別子情報あるいはデュアルモード端末機１２０の使用者を識別できる識別子情報の少なくともいずれか一方を含む。
【００３７】
セルラー網１１０は、付加サービス網１００から受信した第１メッセージ２００によって、サービス提供に関する情報が含まれた第２メッセージ２１０をデュアルモード端末機１２０に伝送する。セルラー網１１０は、第１メッセージ２００に含まれる識別子情報を用いて、第２メッセージ２１０をデュアルモード端末機１２０に伝送できる。ここで、第２メッセージ２１０に含まれるサービス提供に関する情報は、上述した第１メッセージ２００と同じく、事前予約あるいは登録されたサービスに関する情報であることが好ましい。また、サービス提供に関する情報は、事前予約あるいは登録されたサービス提供のための通信を行うために、第２通信モジュールを活性化することを指示する情報であることが好ましい。さらに、第２メッセージ２１０は、ＳＭＳあるいはＭＭＳによるメッセージであることが好ましい。
【００３８】
セルラー網１１０が、付加サービス網１００から受信した第１メッセージ２００を第２メッセージ２１０に変換して伝送する理由は、付加サービス網１００とセルラー網１１０との間の通信方式と、セルラー網１１０とデュアルモード端末機１２０との間の通信方式と、が異なるためである。
【００３９】
デュアルモード端末機１２０は、第１通信モジュール１２３を通してセルラー網１１０から受信した第２メッセージ２１０によって、付加サービス網とサービスのための通信を行うために、それまで少なくとも電波を出しておらず非活性にあった（電源オフ含む）第２通信モジュール１２５を活性化する。第１通信モジュール１２３は、受信した第２メッセージをパーシング（ｐａｒｓｉｎｇ）し、付加サービス網１００の要請によって、付加サービス網との通信を制御するための制御信号２２０を出力する。そして、第２通信モジュール１２５は、制御信号２２０によって活性化された後、付加サービス網と通信を行うようになる。また、制御信号２２０は、第２通信モジュール１２５に対するリセット（ＲＥＳＥＴ）信号あるいはパワーオン（ＰＯＷＥＲ_ＯＮ）信号であることが好ましい。
【００４０】
また、デュアルモード端末機１２０は、第１通信モジュール１２３を通して、第２メッセージ２１０に対する第１応答メッセージ２３０をセルラー網１１０に伝送する。第１応答メッセージ２３０は、付加サービス網１００とのサービスのための通信準備が完了したことを通知する情報を含む。セルラー網１１０は、デュアルモード端末機１２０から受信した第１応答メッセージ２３０を、セルラー網１１０と付加サービス網１００との間の通信方式に符合する第２応答メッセージ２４０に変換して伝送する。セルラー網１１０から第２応答メッセージ２４０を受信した付加サービス網１００は、第２通信モジュール１２５を通して、デュアルモード端末機１２０とサービス提供のための通信を行う。
【００４１】
図３は、本発明の好ましい実施形態に係るメッセージによるデュアルモード端末機の通信モジュール制御方法（通信システム）を示したフローチャートである。
【００４２】
図４は、本発明の好ましい実施形態に係るメッセージによるデュアルモード端末機の通信モジュール制御方法（デュアルモード端末機）を示したフローチャートである。
【００４３】
以下、図３及び図４に示すように、本発明に係るメッセージによるデュアルモード端末機の通信モジュール制御方法の好ましい実施形態を説明する。
【００４４】
まず、付加サービス網１００が、特定のデュアルモード端末機１２０に対するサービス提供に関する情報が含まれた第１メッセージをセルラー網に伝送する（Ｓ３００）。ここで、セルラー網１１０、付加サービス網１００、デュアルモード端末機１２０及び第１メッセージに関する細部的な特徴は、上述したとおりである。
【００４５】
その後、セルラー網１１０が、第１メッセージによって、情報が含まれた第２メッセージをデュアルモード端末機１２０に伝送する（Ｓ３１０）。ここで、第２メッセージに関する細部的な特徴は、上述したとおりである。
【００４６】
その後、デュアルモード端末機１２０が、第２メッセージによって、付加サービス網１００との通信のための通信モジュールを活性化し（Ｓ３２０、Ｓ４２０）、付加サービス網１００とサービスのための通信を行う（Ｓ３５０、Ｓ４４０）。デュアルモード端末機１２０が備わったセルラー網１１０との通信のための第１通信モジュール１２３が第２メッセージを受信し（Ｓ４００）、第２メッセージをパーシングし、付加サービス網１００の要請によって、付加サービス網１００との通信のための第２通信モジュール１２５を活性化するための制御信号を出力できる（Ｓ４１０）。
【００４７】
ここで、デュアルモード端末機１２０は、第２メッセージに対する第１応答メッセージをセルラー網１１０に伝送し（Ｓ３３０、Ｓ４３０）、セルラー網１１０は、第１メッセージに対する応答としての第２応答メッセージを付加サービス網１００に伝送できる（Ｓ３４０）。付加サービス網１００は、第２応答メッセージを受信し、デュアルモード端末機１２０がサービス提供のための通信準備を完了したことを認知することで、デュアルモード端末機１２０と通信を行うことができる（Ｓ３５０、Ｓ４４０）。なお、デュアルモード端末機１２０は、付加サービス網との通信が終了したときには、第２通信モジュールを再び非活性化することができる。
【００４８】
また、デュアルモード端末機１２０は、かかる第１メッセージ及び第２メッセージに依存せず、必要に応じて第２通信モジュールを活性化し、付加サービス網との通信を行っても良い。
【００４９】
ここで、本発明の好ましい実施形態に係るメッセージによるデュアルモード端末機の通信モジュール制御方法を実現するためのその他の細部的な特徴は、上述したとおりである。
【００５０】
以上説明した本発明は、本発明の属する技術分野で通常の知識を有する者であれば、本発明の技術的思想を逸脱しない範囲で多様な置換、変形及び変更が可能であり、上述した実施形態及び添付された図面によって限定されるものではない。
【図面の簡単な説明】
【００５１】
【図１】本発明の好ましい実施形態に係るメッセージによるデュアルモード端末機の通信モジュール制御機能を有する通信システムを示したブロック構成図
【図２】本発明に係る通信システム内で伝送される情報の流れを示した図
【図３】本発明の好ましい実施形態に係るメッセージによるデュアルモード端末機の通信モジュール制御方法（通信システム）を示したフローチャート
【図４】本発明の好ましい実施形態に係るメッセージによるデュアルモード端末機の通信モジュール制御方法（デュアルモード端末機）を示したフローチャート
【符号の説明】
【００５２】
１００  付加サービス網
１１０  セルラー網
１２０  デュアルモード端末機
１２３  第１通信モジュール
１２５  第２通信モジュール
【図１】
2007043660.tif 000003
【図２】
2007043660.tif 000004
【図３】
2007043660.tif 000005
【図４】
2007043660.tif 000006